(57)【要約】【課題】入会意欲を向上させることが可能な景品抽選システム及びホストコンピュータを提供する。【解決手段】ホストコンピュータ１０は、売上演算部１４において売上総額を随時演算し、随時演算された演算結果に応じて景品総額、当選人数、景品単価及び当選確率の少なくとも１つからなる景品情報を生成する。このため、景品情報についてもリアルタイム的に求められることとなり、この景品情報を端末において表示させるため、予め定まった景品情報を視認する場合と比較して、非会員に興味を持たせることができ、入会意欲を向上させることができる。【選択図】図２
2008176688.tif 000002
【特許請求の範囲】
【請求項１】
会員制Ｗｅｂサイトを管理するホストコンピュータと、会員制Ｗｅｂサイトにアクセスするための端末とを有し、前記端末を通じて会員制Ｗｅｂサイトにアクセスした会員を対象として景品抽選を行う景品抽選システムであって、
前記ホストコンピュータは、
会員制Ｗｅｂサイトの会費から発生する会費売上総額、及び、会員制Ｗｅｂサイトでの商品販売から発生する商品売上総額の少なくとも一方からなる売上総額を随時演算する演算手段と、
前記演算手段により演算された売上総額に応じて景品総額を決定する景品総額決定手段と、
前記景品総額決定手段により決定された景品総額、前記景品総額と景品１単位あたりの景品単価とから求められる当選人数、前記景品総額と当選人数とから求められる景品単価、及び会員数と当選人数とから求められる当選確率のうち少なくとも１つからなる景品情報を生成する景品情報生成手段と、
前記景品情報生成手段により生成された景品情報を、会員制Ｗｅｂサイトにアクセスした会員及び非会員の端末に送信する情報送信手段と、を有し、
前記端末は、
前記情報送信手段により送信された景品情報を受信する情報受信手段と、
前記情報受信手段により受信された景品情報を表示する表示手段と、を有する
ことを特徴とする景品抽選システム。
【請求項２】
前記景品情報生成手段は、少なくとも前記当選確率を含む景品情報を生成し、前記景品総額決定手段により決定された景品総額が変動した場合、前記当選確率を変化させ、
前記情報送信手段は、変化後の当選確率の情報を前記端末に送信する
ことを特徴とする請求項１に記載の景品抽選システム。
【請求項３】
前記景品情報生成手段は、少なくとも前記当選人数を含む景品情報を生成し、前記景品総額決定手段により決定された景品総額が変動した場合、前記当選人数を変化させ、
前記情報送信手段は、変化後の当選人数の情報を前記端末に送信する
ことを特徴とする請求項１に記載の景品抽選システム。
【請求項４】
前記景品情報生成手段は、少なくとも前記景品単価を含む景品情報を生成し、前記景品総額決定手段により決定された景品総額が変動した場合、前記景品単価を変化させ、
前記情報送信手段は、変化後の景品単価の情報を前記端末に送信する
ことを特徴とする請求項１に記載の景品抽選システム。
【請求項５】
前記ホストコンピュータは、会員制Ｗｅｂサイトにアクセスした会員を対象とし、アクセスした会員毎に景品の抽選を行う抽選手段をさらに備え、
前記景品情報生成手段は、少なくとも前記当選確率を含む景品情報を生成し、会員制Ｗｅｂサイトにアクセスした会員による前記抽選手段の抽選結果に応じて、当選確率を変化させ、
前記情報送信手段は、変化後の当選確率の情報を前記端末に送信する
ことを特徴とする請求項１に記載の景品抽選システム。
【請求項６】
前記ホストコンピュータは、会員制Ｗｅｂサイトにアクセスした会員を対象とし、アクセスした会員毎に景品の抽選を行う抽選手段をさらに備え、
前記景品情報生成手段は、少なくとも前記当選人数を含む景品情報を生成し、会員制Ｗｅｂサイトにアクセスした会員が前記抽選手段による抽選に当選した場合、当選人数を変化させ、
前記情報送信手段は、変化後の当選人数の情報を前記端末に送信する
ことを特徴とする請求項１に記載の景品抽選システム。
【請求項７】
前記演算手段は、一定期間内における売上総額を随時演算し、前記一定期間経過時点において売上総額をリセットし、
前記景品総額決定手段は、前記演算手段によるリセット時点において、景品に余りが存在する場合、この余り分を含めてリセット時点以後の一定期間における景品総額を決定する
ことを特徴とする請求項１に記載の景品抽選システム。
【請求項８】
会員制Ｗｅｂサイトの会員を対象として景品抽選を行うホストコンピュータであって、
会員制Ｗｅｂサイトの会費から発生する会費売上総額、及び、会員制Ｗｅｂサイトにおける商品販売から発生する商品売上総額の少なくとも一方からなる売上総額を随時演算する演算手段と、
前記演算手段により演算された売上総額に応じて景品総額を決定する景品総額決定手段と、
前記景品総額決定手段により決定された景品総額、前記景品総額から求められる景品の当選人数、前記景品総額から求められる景品１単位あたりの景品単価、及び、前記景品総額から求められる景品の当選確率のうち少なくとも１つからなる景品情報を生成する景品情報生成手段と、
前記景品情報生成手段により生成された景品情報を、会員制Ｗｅｂサイトにアクセスした会員及び非会員の端末に送信する情報送信手段と、
を備えることを特徴とするホストコンピュータ。
【発明の詳細な説明】
【技術分野】
【０００１】
本発明は、景品抽選システム及びホストコンピュータに関する。
【背景技術】
【０００２】
従来、懸賞では、予め景品総額、景品の単価及び当選人数などが定められている。また、これらを定めるにあたっては景品表示法が遵守されることが一般的である。景品表示法によると、景品総額の上限が売上総額に応じて決定されるようになっている。このため、或る商品に関する懸賞では、その商品の売上総額を予想し、予想額に応じて景品総額を定め、景品総額に応じて景品の単価及び当選人数などが定められるようになっている。
【０００３】
また、上記のような懸賞は、会員制Ｗｅｂサイトに用いられることがあり、会員のみが懸賞に応募できるようにすることで、入会意欲を向上させるようにしている。また、インターネット回線を利用して懸賞の抽選を行う景品抽選システムが知られている（特許文献１参照）。
【特許文献１】特開２００２−５６１４３号公報
【発明の開示】
【発明が解決しようとする課題】
【０００４】
しかし、従来では、景品総額、景品の単価及び当選人数などが予め定まっているため、エンターテイメント性に欠け、たとえ会員のみが応募できる懸賞であっても、非会員の入会意欲向上につながり難い。
【０００５】
本発明は、このような従来の課題を解決するためになされたものであり、その目的とするところは、入会意欲を向上させることが可能な景品抽選システム及びホストコンピュータを提供することにある。
【課題を解決するための手段】
【０００６】
上記目的を達成するため、本発明に係る景品抽選システムは、会員制Ｗｅｂサイトを管理するホストコンピュータと、会員制Ｗｅｂサイトにアクセスするための端末とを有し、端末を通じて会員制Ｗｅｂサイトにアクセスした会員を対象として景品抽選を行うものである。ホストコンピュータは、会員制Ｗｅｂサイトの会費から発生する会費売上総額、及び、会員制Ｗｅｂサイトでの商品販売から発生する商品売上総額の少なくとも一方からなる売上総額を随時演算する演算手段と、演算手段により演算された売上総額に応じて景品総額を決定する景品総額決定手段と、景品総額決定手段により決定された景品総額、景品総額と景品１単位あたりの景品単価とから求められる当選人数、景品総額と当選人数とから求められる景品単価、及び会員数と当選人数とから求められる当選確率のうち少なくとも１つからなる景品情報を生成する景品情報生成手段と、景品情報生成手段により生成された景品情報を、会員制Ｗｅｂサイトにアクセスした会員及び非会員の端末に送信する情報送信手段とを有している。端末は、情報送信手段により送信された景品情報を受信する情報受信手段と、情報受信手段により受信された景品情報を表示する表示手段とを有している。
【０００７】
また、景品抽選システムにおいて、景品情報生成手段は、少なくとも当選確率を含む景品情報を生成し、景品総額決定手段により決定された景品総額が変動した場合、当選確率を変化させ、情報送信手段は、変化後の当選確率の情報を端末に送信することが好ましい。
【０００８】
また、景品抽選システムにおいて、景品情報生成手段は、少なくとも当選人数を含む景品情報を生成し、景品総額決定手段により決定された景品総額が変動した場合、当選人数を変化させ、情報送信手段は、変化後の当選人数の情報を端末に送信することが好ましい。
【０００９】
また、景品抽選システムにおいて、景品情報生成手段は、少なくとも景品単価を含む景品情報を生成し、景品総額決定手段により決定された景品総額が変動した場合、景品単価を変化させ、情報送信手段は、変化後の景品単価の情報を端末に送信することが好ましい。
【００１０】
また、景品抽選システムにおいて、ホストコンピュータは、会員制Ｗｅｂサイトにアクセスした会員を対象とし、アクセスした会員毎に景品の抽選を行う抽選手段をさらに備え、景品情報生成手段は、少なくとも当選確率を含む景品情報を生成し、会員制Ｗｅｂサイトにアクセスした会員による抽選手段の抽選結果に応じて、当選確率を変化させ、情報送信手段は、変化後の当選確率の情報を端末に送信することが好ましい。
【００１１】
また、景品抽選システムにおいて、ホストコンピュータは、会員制Ｗｅｂサイトにアクセスした会員を対象とし、アクセスした会員毎に景品の抽選を行う抽選手段をさらに備え、景品情報生成手段は、少なくとも当選人数を含む景品情報を生成し、会員制Ｗｅｂサイトにアクセスした会員が抽選手段による抽選に当選した場合、当選人数を変化させ、情報送信手段は、変化後の当選人数の情報を端末に送信することが好ましい。
【００１２】
また、景品抽選システムにおいて、演算手段は、一定期間内における売上総額を随時演算し、一定期間経過時点において売上総額をリセットし、景品総額決定手段は、演算手段によるリセット時点において、景品に余りが存在する場合、この余り分を含めてリセット時点以後の一定期間における景品総額を決定することが好ましい。
【００１３】
本発明に係るホストコンピュータは、会員制Ｗｅｂサイトの会員を対象として景品抽選を行うものである。このホストコンピュータは、会員制Ｗｅｂサイトの会費から発生する会費売上総額、及び、会員制Ｗｅｂサイトにおける商品販売から発生する商品売上総額の少なくとも一方からなる売上総額を随時演算する演算手段と、演算手段により演算された売上総額に応じて景品総額を決定する景品総額決定手段と、景品総額決定手段により決定された景品総額、景品総額から求められる景品の当選人数、景品総額から求められる景品１単位あたりの景品単価、及び、景品総額から求められる景品の当選確率のうち少なくとも１つからなる景品情報を生成する景品情報生成手段と、景品情報生成手段により生成された景品情報を、会員制Ｗｅｂサイトにアクセスした会員及び非会員の端末に送信する情報送信手段とを備えている。
【発明の効果】
【００１４】
本発明に係る景品抽選システムによれば、売上総額が随時演算され、随時演算された売上総額から景品総額が決定される。そして、景品総額、当選人数、景品単価及び当選確率からなる景品情報が端末に表示されることとなる。このように、景品抽選システムでは、売上総額が随時演算されるため、売上総額がリアルタイム的に演算されることとなる。このため、これに応じて景品総額や景品情報についてもリアルタイム的に変化することとなる。これにより、会員制Ｗｅｂサイトにアクセスした非会員にリアルタイム的に変化する景品情報を視認させることができ、予め定まった景品情報を視認させる場合と比較して、会員制Ｗｅｂサイトに興味を持たせることができる。従って、入会意欲を向上させることができる。
【００１５】
また、景品総額決定手段により決定された景品総額が変動した場合、当選確率を変化させ、変化後の当選確率の情報を端末に送信する。このため、非会員に変化前の当選確率と変化後の当選確率を視認させることができ、非会員に随時当選確率が変化する様子を視認させ、懸賞について興味を持たせることができる。特に、当選確率が上がる場合には非会員は当選し易くなったなどと判断し、非会員に一層興味を持たせることができる。従って、非会員の入会意欲を向上させることができる。
【００１６】
また、景品総額決定手段により決定された景品総額が変動した場合、当選人数を変化させ、変化後の当選人数の情報を端末に送信する。このため、非会員に変化前の当選人数と変化後の当選人数を視認させることができ、非会員に随時当選人数が変化する様子を視認させ、懸賞について興味を持たせることができる。特に、当選人数が増加する場合には非会員は当選し易くなったなどと判断し、非会員に一層興味を持たせることができる。従って、非会員の入会意欲を向上させることができる。
【００１７】
また、景品総額決定手段により決定された景品総額が変動した場合、景品単価を変化させ、変化後の景品単価の情報を端末に送信する。このため、非会員に変化前の景品単価と変化後の景品単価を視認させることができ、非会員に随時景品単価が変化する様子を視認させ、懸賞について興味を持たせることができる。特に、景品単価が高くなる場合には高額当選を期待させ、非会員に一層興味を持たせることができる。従って、非会員の入会意欲を向上させることができる。
【００１８】
また、会員制Ｗｅｂサイトにアクセスした会員の抽選結果に応じて、当選確率を変化させ、変化後の当選確率の情報を端末に送信する。このため、会員が抽選を行い、当選した場合には当選確率を下げ、当選しなかった場合には当選確率を上昇させるなどすることとなる。これにより、当選確率が変化し、これを非会員に視認させ、懸賞について興味を持たせることができる。特に、当選確率が上がる場合には非会員は当選し易くなったなどと判断し、非会員に一層興味を持たせることができる。従って、非会員の入会意欲を向上させることができる。
【００１９】
また、会員制Ｗｅｂサイトにアクセスした会員の抽選結果に応じて、当選人数を変化させ、変化後の当選人数の情報を端末に送信する。このため、会員が抽選を行い、当選した場合には当選人数を減少させるなどすることとなる。これにより、当選人数が変化し、これを非会員に視認させ、懸賞について興味を持たせることができる。特に、当選人数が減少する場合には非会員は早くに入会して抽選を行わないとならないなどと判断し、非会員に一層興味を持たせることができる。従って、非会員の入会意欲を向上させることができる。
【００２０】
また、一定期間内における売上総額を随時演算し、一定期間経過時点において売上総額をリセットし、リセット時点において、景品に余りが存在する場合、この余り分を含めてリセット時点以後の一定期間における景品総額を決定する。このため、例えば応募総数自体が少なく景品に余りが生じた場合などに景品の繰り越しを発生させることができ、会員に提供する景品の総額が少なくなってしまうことを防止することができる。従って、実質的に景品総額が少なくなって懸賞の魅力が少なくなってしまうことを抑制することができる。
【００２１】
また、本発明に係るホストコンピュータによれば、売上総額が随時演算され、随時演算された売上総額から景品総額が決定される。そして、景品総額、当選人数、景品単価及び当選確率からなる景品情報が端末に表示されることとなる。このように、景品抽選システムでは、売上総額が随時演算されるため、売上総額がリアルタイム的に演算されることとなる。このため、これに応じて景品総額や景品情報についてもリアルタイム的に変化することとなる。これにより、会員制Ｗｅｂサイトにアクセスした非会員にリアルタイム的に変化する景品情報を視認させることができ、予め定まった景品情報を視認させる場合と比較して、会員制Ｗｅｂサイトに興味を持たせることができる。従って、入会意欲を向上させることができる。
【発明を実施するための最良の形態】
【００２２】
以下、本発明の好適な実施形態を図面に基づいて説明する。図１は、本発明の実施形態に係る景品抽選システムの構成図である。同図に示すように、景品抽選システム１は、会員制Ｗｅｂサイトを管理するホストコンピュータ１０と、会員制Ｗｅｂサイトにアクセスするための端末２０と、ホストコンピュータ１０と端末２０とを接続するインターネット３０とからなっている。この景品抽選システム１は、端末２０を通じて会員制Ｗｅｂサイトにアクセスした会員を対象として景品抽選を行うようになっている。
【００２３】
図２は、図１に示したホストコンピュータ１０の詳細構成図である。図２に示すように、ホストコンピュータ１０は、会員データベース１１と、認証部１２と、販売実績データベース１３と、売上演算部（演算手段）１４と、景品総額演算部（景品総額決定手段）１５と、景品データベース１６と、景品情報生成部（景品情報生成手段）１７と、画像生成部（情報送信手段）１８と、抽選部（抽選手段）１９とを有している。
【００２４】
会員データベース１１は、会員制Ｗｅｂサイトの会員に関する情報を記憶するものである。認証部１２は、会員データベース１１に記憶される情報に基づいて、ホストコンピュータ１０が管理する会員制Ｗｅｂサイトにアクセスした者が会員であるか否かを判断するものである。販売実績データベース１３は、会員制Ｗｅｂサイトで販売される商品の販売実績を記憶するものである。
【００２５】
売上演算部１４は、会員制Ｗｅｂサイトの会費から発生する会費売上総額、及び、会員制Ｗｅｂサイトの商品販売から発生する商品売上総額からなる売上総額を随時演算するものである。ここで、随時とは、例えば会員数が増減するごとであってもよいし、商品が販売されるごとであってもよい。また、随時とは、上記に限らず１日ごとであってもよいし、数日ごとや数時間ごとであってもよい。また、分単位や秒単位であってもよい。すなわち、売上演算部１４は、ある程度リアルタイム的に売上総額を演算する構成であればよい。また、売上演算部１４は、会費売上総額及び商品売上総額からなる売上総額を求めているが、これに限らず、いずれか一方の売上総額のみを求める構成であってもよい。
【００２６】
景品総額演算部１５は、売上演算部１４により演算された売上総額に応じて景品総額を決定するものである。例えば景品総額演算部１５は、例えば景品表示法を遵守するように、売上総額の数％（例えば２％）を景品総額として決定する構成となっている。
【００２７】
景品データベース１６は、複数種の景品を記憶したものである。景品情報生成部１７は、景品総額演算部１５により決定された景品総額、景品総額と景品単価とから求められる当選人数、景品総額と当選人数とから求められる景品１単位あたりの景品単価、及び会員数と当選人数とから求められる当選確率の少なくとも１つからなる景品情報を生成するものである。一例を挙げると、景品情報生成部１７は、景品表示法に定められる景品最高額を超えない範囲で景品単価を決定する。そして、景品情報生成部１７は、決定した景品単価に見合う景品を、景品データベース１６に記憶される複数種の景品の中から選択する。次に、景品情報生成部１７は、景品総額を景品単価で除することで当選人数を決定し、当選人数と会員数とから当選確率を演算する。なお、上記において景品単価は、景品総額と当選人数とから求められておらず、景品情報の１つとしての景品単価とは異なるものである。
【００２８】
画像生成部１８は、会員制Ｗｅｂサイトにアクセスした者に対して表示する画像を生成するものである。ここで生成される画像は会員用と非会員用とがあり、画像生成部１８は、これら会員用と非会員用との画像を生成する構成となっている。なお、これら会員用と非会員用との画像には、少なくとも景品情報生成部１７により生成された景品情報が含まれている。また、画像生成部１８は、会員制Ｗｅｂサイトにアクセスした端末２０に景品情報を含む画像情報を送信する構成となっている。
【００２９】
抽選部１９は、会員を対象として景品の抽選を行うものである。本実施形態において抽選部１９は、会員制Ｗｅｂサイトにアクセスした会員毎にミニゲームを実行し、ミニゲームの結果に応じて当選判定する構成となっている。なお、抽選部１９は、この構成に限らず、会員全員を対象とし、当選人数分だけ当選者を抽出する構成であってもよい。また、抽選は、一定期間内に応募した会員を対象に行われる。このため、一定期間内に応募した会員数が当選人数に満たない場合や、応募した会員全員がはずれてしまった場合などには、景品に余りが生じることとなる。本実施形態において、景品に余りが生じた場合、この景品の余りは次の一定期間内に行われる抽選に繰り越されることとなる。
【００３０】
図３は、図１に示した端末２０の構成図である。端末２０は会員制Ｗｅｂサイトにアクセスするためのものであって、例えば図３に示すように、携帯電話２１、パーソナルコンピュータ２２、及び、テレビ２３などが該当する。
【００３１】
図３（ａ）に示すように、携帯電話２１は、アンテナ（情報受信手段）２１ａと液晶表示部（表示手段）２１ｂとを有している。アンテナ２１ａは、ホストコンピュータ１０から送信された景品情報を含む画像情報を受信するものである。液晶表示部２１ｂは、アンテナ２１ａにより受信された景品情報を含む画像情報を表示するものである。同様に、パーソナルコンピュータ２２は、ＰＣ本体（情報受信手段）２２ａと液晶ディスプレイ（表示手段）２２ｂとを有し、ＰＣ本体２２ａは景品情報を含む画像情報を受信し、液晶ディスプレイ２１ｂは景品情報を含む画像情報を表示する（図３（ｂ））。また、同様にテレビ２３は、地上波デジタル等の双方向通信を行うことができるタイプのものであり、不図示の受信部（情報受信手段）にて景品情報を含む画像情報を受信し、表示部（表示手段）２２ｂにて景品情報を含む画像情報を表示する（図３（ｃ））。
【００３２】
図４は、端末２０の液晶表示部２１ｂ等に表示される表示例を示す図である。なお、図４（ａ）は会員用ページを示し、図４（ｂ）は非会員用ページを示している。図４（ａ）に示すように、会員用ページには、景品総額情報Ｄ１と、当選確率情報Ｄ２と、当選人数情報Ｄ３とが表示されている。また、この他に、会員用ページには、商品購入用ページへアクセスするための第１メニューＭ１と、抽選ページＭ２へアクセスするための第２メニューＭ２と、退会ページへアクセスするためのメニューＭ３とが表示されている。
【００３３】
また、図４（ｂ）に示すように、非会員用ページには、会員用ページと同様に、景品総額情報Ｄ１と、当選確率情報Ｄ２と、当選人数情報Ｄ３とが表示されている。また、非会員用ページには、会員のみが抽選を行うことができる情報Ｄ４が表示されている。さらに、非会員用ページには、入会ページへアクセスするための第４メニューＭ４と、本サイトを説明する説明ページへアクセスするための第５メニューＭ５が表示されている。
【００３４】
このような景品抽選システム１において、ホストコンピュータ１０は、売上演算部１４、景品総額演算部１５、及び景品情報生成部１７により演算等によって景品情報が生成されている。また、画像生成部１８は、会員用と非会員用とに分けて、景品情報を含む画像情報を生成している。そして、端末２０を通じて会員制Ｗｅｂサイトにアクセスされると、画像生成部１８により生成された画像情報が端末２０に表示されることとなる。具体的には、図４に示すような画像が端末２０に表示されることとなる。
【００３５】
また、会員が増減したり、会員制Ｗｅｂサイト上で商品等が販売されたりなどした場合、売上演算部１４は、再度売上総額を演算する。そして、景品総額演算部１５は再度演算された売上総額に応じて景品総額を再度演算する。次いで、景品情報生成部１７は再度演算された景品総額に応じて新たな景品情報を生成する。その後、画像生成部１８は、新たな景品情報を含む画像情報を生成することとなる。このため、端末２０を通じて会員制Ｗｅｂサイトにアクセスされると、新たに画像生成部１８により生成された画像情報が端末２０に表示されることとなる。
【００３６】
図５は、新たに画像生成部１８により生成された画像情報が表示されたときの表示例を示す図である。売上総額は時々刻々と変化する。そして、本実施形態に係るホストコンピュータ１０は、時々刻々と変化する売上総額に応じて景品情報を求め、これを表示させる。このため、図５に示すように、端末２０には、図４とは異なる景品情報が表示されることとなる。すなわち、情報Ｄ４、第４メニューＭ４及び第５メニューＭ５は図４と同じであるが、売上総額が変動して景品情報が変更されたため、変化した景品総額情報Ｄ１’と、当選確率情報Ｄ２’と、当選人数情報Ｄ３’とが表示されることとなる。
【００３７】
このように、景品抽選システム１では、売上総額が随時演算されるため、売上総額がリアルタイム的に演算されることとなる。そして、このリアルタイム的に演算された売上総額から景品総額が決定されるため、景品総額は、リアルタイム的に変化する売上総額に応じて変化することとなり、景品総額、当選人数、景品単価及び当選確率の少なくとも１つからなる景品情報についてもリアルタイム的に変化することとなる。これにより、非会員が会員制Ｗｅｂサイトにアクセスしてリアルタイム的に変化する景品情報を視認することで、予め定まった景品情報を視認する場合と比較して、非会員に興味を持たせることができ、入会意欲を向上させることができる。
【００３８】
なお、図４及び図５に示す例では、景品単価が変化していないが、景品総額が上昇した場合などには、当選人数を固定とし、景品単価を増額させることとしてもよい。
【００３９】
次に、本実施形態に係る景品抽選システム１の詳細動作の一例について説明する。図６は、本実施形態に係る景品抽選システム１の詳細動作の一例を示すフローチャートであり、売上に応じた景品情報の生成処理について示している。
【００４０】
まず、図６に示すように、ホストコンピュータ１０は、会員制Ｗｅｂサイトの会員数に増減があったか否かを判断する（ステップＳ１）。ここで、会員数に増減があったと判断した場合（ステップＳ１：ＹＥＳ）、処理はステップＳ３に移行する。一方、会員数に増減がなかったと判断した場合（ステップＳ１：ＮＯ）、ホストコンピュータ１０は、会員制Ｗｅｂサイト上で商品が販売されたか否かを判断する（ステップＳ２）。商品が販売されていないと判断した場合（ステップＳ２：ＮＯ）、図６に示す処理は終了する。
【００４１】
また、商品が販売されたと判断した場合（ステップＳ２：ＹＥＳ）、処理はステップＳ３に移行する。ステップＳ３において、売上演算部１４は、会員数及び商品販売実績に基づいて売上総額を演算する（ステップＳ３）。このように、売上演算部１４は、会員数や商品販売など売上の変動があった場合、再度売上総額を求めることとなる。
【００４２】
次いで、景品総額演算部１５は、景品の繰り越しがあったか否かを判断する（ステップＳ４）。景品の繰り越しがあったと判断した場合（ステップＳ４：ＹＥＳ）、景品総額演算部１５は、ステップＳ３において演算された売上総額と繰り越しとから景品総額を演算する（ステップＳ５）。そして、処理はステップＳ７に移行する。一方、景品の繰り越しがなかったと判断した場合（ステップＳ４：ＮＯ）、景品総額演算部１５は、ステップＳ３において演算された売上総額から景品総額を演算する（ステップＳ６）。そして、処理はステップＳ７に移行する。このように、本実施形態では、売上総額に変動があった場合、この変動に応じて景品総額を新たに演算することとなる。
【００４３】
ステップＳ７において景品情報生成部１７は、ステップＳ５又はステップＳ６において演算された景品総額に応じて、当選人数と景品単価とを決定する（ステップＳ７）。その後、景品情報生成部１７は、当選人数と会員数とに応じて当選確率を演算する（ステップＳ８）。そして、図６に示す処理は終了する。
【００４４】
このように演算された景品情報は、端末２０において表示されることとなる。しかも、上記の如く、売上総額が変動して景品総額が変動した場合に景品情報についても変動するため、非会員に「当選しやすくなった」や「景品単価が高くなった」などの情報を視認させ、会員制Ｗｅｂサイトに一層興味を持たせることができる。
【００４５】
なお、図６に示す処理において売上総額の演算（ステップＳ３）は、会員数の増減又は商品が販売されたときに実行されているが、これに限らず、１日おきや所定時間おきに実行されてもよい。
【００４６】
図７は、本実施形態に係る景品抽選システム１の詳細動作の一例を示すフローチャートであり、抽選に応じた景品情報の生成処理について示している。図７に示すように、まず、ホストコンピュータ１０は、抽選の申し込みがあったか否かを判断する（ステップＳ１０）。ホストコンピュータ１０は、例えば図４に示す第２メニューＭ２が選択された場合などに、抽選の申し込みがあったと判断する。
【００４７】
抽選の申し込みがなかったと判断した場合（ステップＳ１０：ＮＯ）、図７に示す処理は終了する。一方、抽選の申し込みがあったと判断した場合（ステップＳ１０：ＹＥＳ）、抽選部１９は、景品情報生成部１７により生成された当選確率の情報を読み込む（ステップＳ１１）。
【００４８】
次に、抽選部１９は、抽選ゲームの情報を端末２０に送信する（ステップＳ１２）。これにより、端末２０において抽選ゲームが実行される。このとき、送信されるゲームにおいて当たりとなる確率は、ステップＳ１１において読み込まれた当選確率によって定められる。
【００４９】
図８は、端末２０において実行される抽選ゲームの一例を示す図である。例えば、図８に示すように抽選部１９は会員にスロットゲームのデータを送信する。このスロットゲームでは、例えば携帯電話２１等のテンキーの「２」が押されるとビデオリールが回転し、テンキーの「４」「５」「６」がおされるとビデオリールが停止する。そして、特定のシンボル(例えば「７」)が揃うと、端末２０は当たりである旨の情報をホストコンピュータ１０に返信する。一方、特定のシンボルが揃わなかった場合、端末２０はハズレである旨の情報をホストコンピュータ１０に返信する。
【００５０】
再度、図７を参照する。抽選ゲームの情報を端末２０に送信した後（ステップＳ１２の後）、抽選部１９は、端末から返信された当たり又はハズレ情報に基づいて、当選か否かを判断する（ステップＳ１３）。当選となっていないと判断した場合（ステップＳ１３：ＮＯ）、処理はステップＳ１６に移行する。そして、ステップＳ１６においては、当選確率を演算する（ステップＳ１６）。ここで、抽選により会員が１人ハズレとなったため、当選確率は上昇することとなる。そして、図７に示す処理は終了する。
【００５１】
一方、当選となったと判断した場合（ステップＳ１３：ＹＥＳ）、ホストコンピュータ１０は景品情報生成部１７当選処理を実行する（ステップＳ１４）。例えばホストコンピュータ１０は、景品の発送を行ったり、会員にサービスポイントなどのデータを送信したりする。その後、景品情報生成部１７は、抽選により会員が１人当選となったため、当選人数をディクリメンとする（ステップＳ１５）。その後、景品情報生成部１７は、当選確率を演算する（ステップＳ１６）。ここで、抽選により会員が１人当選となったため、当選確率は減少することとなる。そして、図７に示す処理は終了する。
【００５２】
このように抽選後に演算された景品情報についても会員制Ｗｅｂサイトにアクセスした端末２０において表示される。しかも、上記の如く、抽選結果に応じて当選確率や当選人数を変化させるため、非会員に「当選しやすくなった」などの情報を視認させ、会員制Ｗｅｂサイトに一層興味を持たせることができる。
【００５３】
図９は、本実施形態に係る景品抽選システム１の詳細動作の一例を示すフローチャートであり、画像情報の提供に関する処理について示している。図９に示すように、端末２０から会員制Ｗｅｂサイトにアクセスがあった場合、まず、画像生成部１８は、景品情報生成部１７から景品情報を読み込む（ステップＳ２０）。次に、画像生成部１８は、景品情報を含む画像情報を生成する（ステップＳ２１）。このとき、画像生成部１８は、会員用及び非会員用の画像情報を生成しておく。
【００５４】
次に、ホストコンピュータ１０は、会員制Ｗｅｂサイトにアクセスがあったか否かを判断する（ステップＳ２２）。アクセスがなかったと判断した場合（ステップＳ２２：ＮＯ）、図９に示す処理は終了する。一方、アクセスがあったと判断した場合（ステップＳ２２：ＹＥＳ）、認証部１２は、アクセスした者が会員であるか否かを判断する（ステップＳ２３）。会員であると判断した場合（ステップＳ２３：ＹＥＳ）、画像生成部１８は会員用の画像情報を端末２０に送信する。そして、図９に示す処理は終了する。また、会員でないと判断した場合（ステップＳ２３：ＮＯ）、画像生成部１８は非会員用の画像情報を端末２０に送信する。そして、図９に示す処理は終了する。
【００５５】
図１０は、本実施形態に係る景品抽選システム１の詳細動作の一例を示すフローチャートであり、繰り越しに関する処理について示している。図１０に示すように、ホストコンピュータ１０は、一定期間経過したか否かを判断する（ステップＳ３０）。具体的に会員制Ｗｅｂサイトにおいて一ヶ月毎に抽選が行われる場合、ホストコンピュータ１０は現在が一ヶ月の期間の終了時点であるか否かを判断することとなる。
【００５６】
一定期間経過していないと判断した場合（ステップＳ３０：ＮＯ）、図１０に示す処理は終了する。一方、一定期間経過したと判断した場合（ステップＳ３０：ＹＥＳ）、ホストコンピュータ１０は、売上総額をリセットする（ステップＳ３１）。その後、ホストコンピュータ１０は、リセット時点において景品に余りが存在するか否かを判断する（ステップＳ３２）。余りがないと判断した場合（ステップＳ３２：ＮＯ）、図１０に示す処理は終了する。
【００５７】
余りがあると判断した場合（ステップＳ３２：ＹＥＳ）、ホストコンピュータ１０は、景品の余り分に相当する繰り越しを発生させる（ステップＳ３３）。これにより、リセット時点以後の一定期間における景品総額を決定する際に繰り越し分が含まれて演算されることとなる。そして、図１０に示す処理は終了する。
【００５８】
このようにして、本実施形態に係る景品抽選システム１及びホストコンピュータ１０によれば、売上総額が随時演算され、随時演算された売上総額から景品総額が決定される。そして、景品総額、当選人数、景品単価及び当選確率の少なくとも１つからなる景品情報が端末に表示されることとなる。このように、景品抽選システム１では、売上総額が随時演算されるため、売上総額がリアルタイム的に演算されることとなる。このため、これに応じて景品総額や景品情報についてもリアルタイム的に変化することとなる。これにより、会員制Ｗｅｂサイトにアクセスした非会員にリアルタイム的に変化する景品情報を視認させることができ、予め定まった景品情報を視認させる場合と比較して、会員制Ｗｅｂサイトに興味を持たせることができる。従って、入会意欲を向上させることができる。
【００５９】
なお、現在では、景品表示法なるものが存在し、景品総額の上限が売上総額に応じて決定されるようになっている。このため、従来では売上総額を予想し、売上総額が予想額に達しなかった場合でも景品表示法を遵守すべく、景品総額を少なく見積もることとしている。よって、応募者にとっては景品総額が少なく懸賞が魅力に欠けるものであった。ところが、本実施形態では、随時演算される売上総額に応じて景品総額が決定されるため、景品総額を少なく見積もる必要が無く、従来よりも魅力ある懸賞とすることができる。
【００６０】
また、景品総額演算部１５により決定された景品総額が変動した場合、当選確率を変化させ、変化後の当選確率の情報を端末２０に送信する。このため、非会員に変化前の当選確率と変化後の当選確率を視認させることができ、リアルタイム的に当選確率が変化する様子を視認させ、懸賞について興味を持たせることができる。特に、当選確率が上がる場合、非会員に当選し易くなったなどと判断させ、一層興味を持たせることができる。従って、非会員の入会意欲を向上させることができる。
【００６１】
また、景品総額演算部１５により決定された景品総額が変動した場合、当選人数を変化させ、変化後の当選人数の情報を端末２０に送信する。このため、非会員に変化前の当選人数と変化後の当選人数を視認させることができ、リアルタイム的に当選人数が変化する様子を視認させ、懸賞について興味を持たせることができる。特に、当選人数が増加する場合、非会員に当選し易くなったなどと判断させ、一層興味を持たせることができる。従って、非会員の入会意欲を向上させることができる。
【００６２】
また、景品総額演算部１５により決定された景品総額が変動した場合、景品単価を変化させ、変化後の景品単価の情報を端末２０に送信する。このため、非会員に変化前の景品単価と変化後の景品単価を視認させることができ、非会員に随時景品単価が変化する様子を視認させ、懸賞について興味を持たせることができる。特に、景品単価が高くなる場合には高額当選を期待させ、非会員に一層興味を持たせることができる。従って、非会員の入会意欲を向上させることができる。
【００６３】
また、会員制Ｗｅｂサイトにアクセスした会員の抽選結果に応じて、当選確率を変化させ、変化後の当選確率の情報を端末２０に送信する。このため、会員が抽選を行い、当選した場合には当選確率を下げ、当選しなかった場合には当選確率を上昇させることとなる。これにより、当選確率が変化する様子を非会員に視認させ、非会員に懸賞について興味を持たせることができる。特に、当選確率が上がる場合、非会員に当選し易くなったと判断させ、一層興味を持たせることができる。従って、非会員の入会意欲を向上させることができる。
【００６４】
また、会員制Ｗｅｂサイトにアクセスした会員の抽選結果に応じて、当選人数を変化させ、変化後の当選人数の情報を端末２０に送信する。このため、会員が抽選を行い、当選した場合には当選人数を減少させるなどすることとなる。これにより、当選人数が変化する様子を非会員に視認させ、懸賞について興味を持たせることができる。特に、当選人数が減少する場合、非会員に早くに入会して抽選を行わないとならないなどと判断させ、一層興味を持たせることができる。従って、非会員の入会意欲を向上させることができる。
【００６５】
また、一定期間内における売上総額を随時演算し、一定期間経過時点において売上総額をリセットし、リセット時点において、景品に余りが存在する場合、この余り分を含めてリセット時点以後の一定期間における景品総額を決定する。このため、例えば応募総数自体が少なく景品に余りが生じた場合などに景品の繰り越しを発生させることができ、会員に提供する景品の総額が少なくなってしまうことを防止することができる。従って、実質的に景品総額が少なくなって懸賞の魅力が少なくなってしまうことを抑制することができる。
【００６６】
以上、本発明の景品抽選システム及びホストコンピュータを図示の実施形態に基づいて説明したが、本発明はこれに限定されるものではなく、各部の構成は、同様の機能を有する任意の構成のものに置き換えることができる。
【００６７】
例えば、上記した実施形態では、携帯電話２１、パーソナルコンピュータ２２及びテレビ２３を端末２０の例として説明したが、これに限らず、ＰＨＳなど他の機器であってもよい。また、本実施形態において、商品を販売する会員制Ｗｅｂサイトを例に説明したが、これに限らず、会員制Ｗｅｂサイトは、情報配信サイトやゲーム等のプログラムダウンロードサイトなど他のサイトであってもよい。
【図面の簡単な説明】
【００６８】
【図１】本発明の実施形態に係る景品抽選システムの構成図である。
【図２】図１に示したホストコンピュータの詳細構成図である。
【図３】図１に示した端末の構成図である。
【図４】端末の液晶表示部等に表示される表示例を示す図であり、（ａ）は会員用ページを示し、（ｂ）は非会員用ページを示している。
【図５】新たに画像生成部により生成された画像情報が表示されたときの表示例を示す図である。
【図６】本実施形態に係る景品抽選システムの詳細動作の一例を示すフローチャートであり、売上に応じた景品情報の生成処理について示している。
【図７】本実施形態に係る景品抽選システムの詳細動作の一例を示すフローチャートであり、抽選に応じた景品情報の生成処理について示している。
【図８】端末において実行される抽選ゲームの一例を示す図である。
【図９】本実施形態に係る景品抽選システムの詳細動作の一例を示すフローチャートであり、画像情報の提供に関する処理について示している。
【図１０】本実施形態に係る景品抽選システムの詳細動作の一例を示すフローチャートであり、繰り越しに関する処理について示している。
【符号の説明】
【００６９】
１  景品抽選システム
１０  ホストコンピュータ
１１  会員データベース
１２  認証部
１３  販売実績データベース
１４  売上演算部
１５  景品総額演算部
１６  景品データベース
１７  景品情報生成部
１８  画像生成部
１９  抽選部
２０  端末
２１  携帯電話
２１ａ  アンテナ
２１ｂ  液晶表示部
２２  パーソナルコンピュータ
２２ａ  ＰＣ本体
２２ｂ  液晶ディスプレイ
２３  テレビ
２３ｂ  表示部
３０  インターネット
【図１】
2008176688.tif 000003
【図２】
2008176688.tif 000004
【図３】
2008176688.tif 000005
【図４】
2008176688.tif 000006
【図５】
2008176688.tif 000007
【図６】
2008176688.tif 000008
【図７】
2008176688.tif 000009
【図８】
2008176688.tif 000010
【図９】
2008176688.tif 000011
【図１０】
2008176688.tif 000012
【手続補正書】
【提出日】平成19年7月2日(2007.7.2)
【手続補正１】
【補正対象書類名】特許請求の範囲
【補正対象項目名】請求項１
【補正方法】変更
【補正の内容】
【請求項１】
会員制Ｗｅｂサイトを管理するホストコンピュータと、会員制Ｗｅｂサイトにアクセスするための端末とを有し、前記端末を通じて会員制Ｗｅｂサイトにアクセスした会員を対象として景品抽選を行う景品抽選システムであって、
前記ホストコンピュータは、
景品抽選に応募するための一定期間内において会員制Ｗｅｂサイトの会費から発生する会費売上総額からなる売上総額を会員が増減するごとに、会員制Ｗｅｂサイトでの商品販売から発生する商品売上総額からなる売上総額を商品が販売されるごとに、又は、会費売上総額及び商品売上総額の少なくとも一方からなる売上総額を所定時間ごとに演算する演算手段と、
前記演算手段により売上総額が演算されるごとに、この売上総額に応じて景品総額を決定する景品総額決定手段と、
前記景品総額決定手段により景品総額が決定されるごとに、当該景品総額、前記景品総額と景品１単位あたりの景品単価とから求められる当選人数、前記景品総額と当選人数とから求められる景品単価、及び会員数と当選人数とから求められる当選確率のうち少なくとも１つからなる景品情報を生成する景品情報生成手段と、
前記景品情報生成手段により生成された景品情報を、会員制Ｗｅｂサイトにアクセスした会員及び非会員の端末に送信する情報送信手段と、を有し、
前記端末は、
前記情報送信手段により送信された景品情報を受信する情報受信手段と、
前記情報受信手段により受信された景品情報を表示する表示手段と、を有する
ことを特徴とする景品抽選システム。
【手続補正２】
【補正対象書類名】特許請求の範囲
【補正対象項目名】請求項８
【補正方法】変更
【補正の内容】
【請求項８】
会員制Ｗｅｂサイトの会員を対象として景品抽選を行うホストコンピュータであって、
景品抽選に応募するための一定期間内において会員制Ｗｅｂサイトの会費から発生する会費売上総額からなる売上総額を会員が増減するごとに、会員制Ｗｅｂサイトでの商品販売から発生する商品売上総額からなる売上総額を商品が販売されるごとに、又は、会費売上総額及び商品売上総額の少なくとも一方からなる売上総額を所定時間ごとに演算する演算手段と、
前記演算手段により売上総額が演算されるごとに、この売上総額に応じて景品総額を決定する景品総額決定手段と、
前記景品総額決定手段により景品総額が決定されるごとに、当該景品総額、前記景品総額と景品１単位あたりの景品単価とから求められる当選人数、前記景品総額と当選人数とから求められる景品単価、及び会員数と当選人数とから求められる当選確率のうち少なくとも１つからなる景品情報を生成する景品情報生成手段と、
前記景品情報生成手段により生成された景品情報を、会員制Ｗｅｂサイトにアクセスした会員及び非会員の端末に送信する情報送信手段と、
を備えることを特徴とするホストコンピュータ。
【手続補正３】
【補正対象書類名】明細書
【補正対象項目名】０００６
【補正方法】変更
【補正の内容】
【０００６】
上記目的を達成するため、本発明に係る景品抽選システムは、会員制Ｗｅｂサイトを管理するホストコンピュータと、会員制Ｗｅｂサイトにアクセスするための端末とを有し、端末を通じて会員制Ｗｅｂサイトにアクセスした会員を対象として景品抽選を行うものである。ホストコンピュータは、景品抽選に応募するための一定期間内において会員制Ｗｅｂサイトの会費から発生する会費売上総額からなる売上総額を会員が増減するごとに、会員制Ｗｅｂサイトでの商品販売から発生する商品売上総額からなる売上総額を商品が販売されるごとに、又は、会費売上総額及び商品売上総額の少なくとも一方からなる売上総額を所定時間ごとに演算する演算手段と、演算手段により売上総額が演算されるごとに、この売上総額に応じて景品総額を決定する景品総額決定手段と、景品総額決定手段により景品総額が決定されるごとに、当該景品総額、景品総額と景品１単位あたりの景品単価とから求められる当選人数、景品総額と当選人数とから求められる景品単価、及び会員数と当選人数とから求められる当選確率のうち少なくとも１つからなる景品情報を生成する景品情報生成手段と、景品情報生成手段により生成された景品情報を、会員制Ｗｅｂサイトにアクセスした会員及び非会員の端末に送信する情報送信手段とを有している。端末は、情報送信手段により送信された景品情報を受信する情報受信手段と、情報受信手段により受信された景品情報を表示する表示手段とを有している。
【手続補正４】
【補正対象書類名】明細書
【補正対象項目名】００１３
【補正方法】変更
【補正の内容】
【００１３】
本発明に係るホストコンピュータは、会員制Ｗｅｂサイトの会員を対象として景品抽選を行うものである。このホストコンピュータは、景品抽選に応募するための一定期間内において会員制Ｗｅｂサイトの会費から発生する会費売上総額からなる売上総額を会員が増減するごとに、会員制Ｗｅｂサイトでの商品販売から発生する商品売上総額からなる売上総額を商品が販売されるごとに、又は、会費売上総額及び商品売上総額の少なくとも一方からなる売上総額を所定時間ごとに演算する演算手段と、演算手段により売上総額が演算されるごとに、この売上総額に応じて景品総額を決定する景品総額決定手段と、景品総額決定手段により景品総額が決定されるごとに、当該景品総額、景品総額と景品１単位あたりの景品単価とから求められる当選人数、景品総額と当選人数とから求められる景品単価、及び会員数と当選人数とから求められる当選確率のうち少なくとも１つからなる景品情報を生成する景品情報生成手段と、景品情報生成手段により生成された景品情報を、会員制Ｗｅｂサイトにアクセスした会員及び非会員の端末に送信する情報送信手段とを備えている。
【手続補正５】
【補正対象書類名】明細書
【補正対象項目名】００５１
【補正方法】変更
【補正の内容】
【００５１】
一方、当選となったと判断した場合（ステップＳ１３：ＹＥＳ）、ホストコンピュータ１０の景品情報生成部１７は、当選処理を実行する（ステップＳ１４）。例えばホストコンピュータ１０は、景品の発送を行ったり、会員にサービスポイントなどのデータを送信したりする。その後、景品情報生成部１７は、抽選により会員が１人当選となったため、当選人数をディクリメンとする（ステップＳ１５）。その後、景品情報生成部１７は、当選確率を演算する（ステップＳ１６）。ここで、抽選により会員が１人当選となったため、当選確率は減少することとなる。そして、図７に示す処理は終了する。